(57)【特許請求の範囲】
【請求項１】
外気温を検知する気温検知部と、
被検体の温度を非接触により検知する温度検知部と、
ドアに本体を設置するための取付部と、
あらかじめ設定された補正用距離及び前記気温検知部が検知した前記外気温に基づいて前記温度検知部が検知した前記被検体の温度を補正して推定体温を求める制御部と、
を備えるドア設置用温度計。
【請求項２】
警報を発報する警報部をさらに備え、
前記制御部は、
前記推定体温が第１の閾値を超えたと判定した場合、前記警報部から警報を発報する請求項１に記載のドア設置用温度計。
【請求項３】
前記あらかじめ設定された補正用距離は、
前記被検体がドアノブに腕をかけた時の前記被検体の額と前記本体との距離に基づいて設定される請求項１又は請求項２に記載のドア設置用温度計。
【請求項４】
前記被検体の体格に応じたレベルごとに前記被検体がドアノブに腕をかけた時の前記被検体の額と前記本体との距離に基づいて設定される基準距離を格納するレベル距離テーブルを格納する記憶部をさらに備え、
前記制御部は、
選択されたレベルに基づいて前記レベル距離テーブルから前記基準距離を読み出し、補正用距離に設定する請求項１から請求項３のいずれか１項に記載のドア設置用温度計。
【請求項５】
前記制御部は、
一定時間ごとに節電状態と起動状態とを繰り返す請求項１から請求項４のいずれか１項に記載のドア設置用温度計。
【請求項６】
前記制御部は、
前記温度検知部によって検知した温度が第２の閾値以上であると判定した場合、前記被検体の温度測定をする請求項１から請求項５のいずれか１項に記載のドア設置用温度計。
【発明の詳細な説明】
【技術分野】
【０００１】
本発明は、ドア設置用温度計に関する。
【背景技術】
【０００２】
重篤な症状を呈する感染症が流行することがある。例えば、昨今では新型コロナウイルス感染症（ＣＯＶＩＤ−１９）の感染が拡大し多くの死者が出ている。
【０００３】
このような感染症は発熱を伴うことがあるが、患者自身が発熱していることに気が付かない場合もある。このような場合、本人の意思に反して他人に感染症を感染させてしまう恐れがある。
【０００４】
従って、発熱しているかどうか簡易に検知できる温度計の需要が高まっている。
【０００５】
この点に関し、ハンディタイプの非接触型温度計が市販されている。しかし、このタイプの温度計であっても、検温する場合には他人に測ってもらわなければならず、人手がいる。また、自分で測る場合には、温度計を触ることによって却って感染が広がってしまう懸念もある。
【０００６】
このハンディタイプの温度計に対し、鏡とレーザーポインタを備える壁掛け型の温度計が提案されている（例えば特許文献１。）。
【０００７】
しかし、このタイプの温度計は、検温に適した位置に顔を合わせるのが難しく、測定誤差が大きい。
【先行技術文献】
【特許文献】
【０００８】
【特許文献１】特許第５０９０４８３号公報
【発明の概要】
【発明が解決しようとする課題】
【０００９】
本発明が解決しようとする課題は、測定に際して感染拡大の懸念がなく、簡易に発熱の有無を確認できるドア設置用温度計を提供することである。
【課題を解決するための手段】
【００１０】
本発明は、外気温を検知する気温検知部と、被検体の温度を非接触により検知する温度検知部と、ドアに本体を設置するための取付部と、あらかじめ設定された補正用距離及び前記気温検知部が検知した前記外気温に基づいて前記温度検知部が検知した前記被検体の額の温度を補正して推定体温を求める制御部と、を備えるドア設置用温度計を提供する。
【発明の効果】
【００１１】
本発明によれば、測定に際して感染拡大の懸念がなく、簡易に発熱の有無を確認できるドア設置用温度計を提供することができる。
【図面の簡単な説明】
【００１２】
【図１】ドア設置用温度計の外観斜視図である。
【図２】ドア設置用温度計の構成を示すブロック図である。
【図３】レベル距離テーブルのデータ構成を示す図である。
【図４】ドア設置用温度計をドアに設置した様子を示す図である。
【図５】平均的な体格の被検体の温度測定位置を示す図である。
【図６】小柄な体格の被検体の温度測定の位置を示す図である。
【図７】ドア設置用温度計の制御部の動作を示すフローチャートである。
【発明を実施するための形態】
【００１３】
以下、本発明の一実施形態に係るドア設置用温度計を詳細に説明する。
【００１４】
図１は、本実施形態のドア設置用温度計（以下、温度計１という。）の外観斜視図である。図１に示すように、温度計１は、通気口１１と、温度センサ１２と、ＬＥＤライト１３と、スイッチ１４と、給電端子１５と、取付部１６と、を備える。
【００１５】
通気口１１は、温度計１の本体の上端部に設けられ、外気を本体の内部に供給する。通気口１１の近傍には気温検知部１０３が配置される。
【００１６】
温度センサ１２は、温度計１の本体の前面部に配置され、温度計１の前に位置する測定対象物である被検体の温度を非接触にて検知する。温度センサ１２は、例えばサーマルセンサを用いることが、測定精度が高いという点において望ましい。
【００１７】
サーマルセンサは、物体から放出される赤外線を吸収して温度が上昇すると、その温度に応じた電気信号を生じる検出素子（熱電対）を複数個アレイ状に配列したセンサである。
【００１８】
ＬＥＤライト１３は、温度計１の本体の前面部に配置され、フルカラーのＬＥＤ（Ｌｉｇｈｔ  ｅｍｉｔｔｉｎｇ  ｄｉｏｄｅ）を複数個含む。
【００１９】
スイッチ１４は、温度計１の本体の側面部に配置され、電源のＯＮ−ＯＦＦを切り替える。
【００２０】
給電端子１５は、温度計１の本体の側面部に配置され、外部電源からの給電を行う。給電端子１５は、ＵＳＢ（Ｕｎｉｖｅｒｓａｌ  Ｓｅｒｉａｌ  Ｂｕｓ）を用いることができる。
【００２１】
取付部１６は、温度計１の本体の背面部に配置され、温度計１をドアに設置する。取付部１６は、例えば永久磁石、両面テープなどを用いることができる。
【００２２】
図２は、温度計１の構成を示すブロック図である。図２に示すように、温度計１は制御部１０１と、記憶部１０２と、気温検知部１０３と、温度検知部１０４と、発光部１０５と、発声部１０６と、を備える。
【００２３】
制御部１０１は、ＣＰＵ（ｃｅｎｔｒａｌ  ｐｒｏｃｅｓｓｉｎｇ  ｕｎｉｔ）やマイクロコンピュータなどの演算装置を含む。
【００２４】
記憶部１０２は、メモリなどの記憶装置を含む。記憶装置はマイクロコンピュータの記憶エリアを使用してもよい。
【００２５】
記憶部１０２は、制御プログラムとレベル距離テーブル１０２Ａを記憶する。制御部１０１は制御プログラムを記憶部１０２から順次読みだして実行する。
【００２６】
レベル距離テーブル１０２Ａは、被検体の腕の長さを数段階にレベル分けしたレベルごとに、温度補正に用いられる基準距離を格納する。
【００２７】
気温検知部１０３は、温度計１の本体周辺の外気温を検知する温度センサを含む。気温検知部１０３は検知した外気温を制御部１０１に出力する。
【００２８】
温度検知部１０４は、温度センサ１２を含む。温度検知部１０４は、温度センサ１２によって被検体の温度、より望ましくは被検体の額の温度を非接触に検知し、検知した被検体の温度を制御部１０１に出力する。
【００２９】
発光部１０５は、ＬＥＤライト１３を含む。発光部１０５は制御部１０１からの信号に応じてＬＥＤライト１３を指定された色によって光らせる。
【００３０】
発声部１０６は、ブザーやスピーカなどの音を発生させる部材を含む。発声部１０６は制御部１０１からの信号に応じて音を発生させる。
【００３１】
図３は、レベル距離テーブル１０２Ａのデータ構成を示す図である。図３に示すように、レベル距離テーブル１０２Ａは、被検体の腕の長さを数段階にレベル分けしたレベルごとに、温度補正に用いられる基準距離を格納する。
【００３２】
レベルは、例えば欧米人やスポーツ選手などの大柄の被検体の腕の長さに合わせた「長」、平均的な体格の被検体の腕の長さに合わせた「中」、幼児などの小柄な体格の被検体の腕の長さに合わせた「短」の３レベルを用いることができる。
【００３３】
基準距離は、レベルごとに、温度計１をドア２０に設置した場合の温度計１と被検体の額との距離に基づいて設定され格納する。
【００３４】
図４は、温度計１をドア２０に設置した様子を示す図である。図５は、平均的な体格の被検体の温度測定位置を示す図である。図６は、小柄な体格の被検体の温度測定の位置を示す図である。
【００３５】
図４から図６に示すように、温度計１はドア２０の平面部分の被検体の額の高さに合わせて設置される。大柄な被検体を多く測定する場合には、平均的な被検体を多く測定する場合よりもより高い位置に、小柄な被検体を多く測定する場合には、より低い位置に温度計１を設置する。
【００３６】
平均的な体格の被検体３１の場合、腕の長さＬ１も一定の長さの範囲に収まる。従って、被検体３１がドアノブ２１を掴んだ時の温度計１と被検体３１の額との距離Ｄ１は、被検体の腕の長さＬ１に対応して一定の長さの範囲に収まる。
【００３７】
小柄な体格の被検体３２の場合、腕の長さＬ２は長さＬ１よりも短い一定の長さの範囲に収まる。従って、被検体３２がドアノブ２１を掴んだ時の温度計１と被検体３２の額との距離Ｄ２は、被検体の腕の長さＬ２に対応して一定の長さの範囲に収まる。
【００３８】
この各長さの中央値又は平均値をレベル距離テーブル１０２Ａの基準距離に格納する。
【００３９】
図７は、温度計１の制御部１０１の動作を示すフローチャートである。図７に示すように、ステップ７０１において、制御部１０１は距離を設定する。制御部１０１は温度計１の本体に別途設けられるレベル選択部１０７であるレベルスイッチによって選択されたレベルに基づいてレベル距離テーブル１０２Ａから基準距離を読み出し、読みだした基準距離を、温度検知部１０４が検知した温度を補正するための補正用距離として設定する。
【００４０】
ステップ７０２において、制御部１０１は、制御部１０１を節電状態であるスリープ状態から起動状態に移行させる。また、制御部１０１は、発光部１０５を正常動作中であることを示す発光パターン、例えば一定間隔ごとに青色により発光させる。
【００４１】
ステップ７０３において、制御部１０１は、温度検知部１０４によって温度測定を行う。
【００４２】
ステップ７０４において、制御部１０１は温度計１の前に人がいるか否かを判定する。制御部１０１は、温度検知部１０４の検知温度が第２の閾値以上、例えば３５℃以上である場合、人を検知したと判定して（ステップ７０４のＹ）ステップ７０５に進む。制御部１０１は、温度検知部１０４の検知温度が第２の閾値未満の場合、人を検知していないと判定して（ステップ７０５のＮ）ステップ７１０に進む。
【００４３】
ステップ７０５において、制御部１０１は、温度検知部１０４によって温度測定を行う。
【００４４】
ステップ７０６において、制御部１０１は、気温検知部１０３によって外気温の測定を行う。
【００４５】
ステップ７０７において、制御部１０１は、温度補正を行う。被検体の額の温度は外気温によって被検体の内部体温より上下する。また、被検体の額から放射される赤外線の強さは、距離に応じて減衰する。
【００４６】
従って、制御部１０１は、気温検知部１０３によって検知された外気温と、設定されたレベルに対応する距離（補正用距離）に基づいて、予め定められた数式又は換算表によって温度検知部１０４が検知した被検体の額の温度を補正して推定体温を算出する。
【００４７】
ステップ７０８において、制御部１０１は、推定体温が第１の閾値を超えているか判定する。第１の閾値は、例えば３７．５℃など、感染症に罹患したと疑われる体温に設定できる。制御部１０１は、推定体温が第１の閾値を超えていると判定した場合（ステップ７０８のＹ）ステップ７０９に進み、推定体温が第１の閾値以下であると判定した場合（ステップ７０８のＮ）、発光部１０５をその旨を示す発光パターン、例えば一定時間の間青色により発光させ、ステップ７０２に戻る。
【００４８】
ステップ７０９において、制御部１０１は警報を発報する。制御部１０１は、警報として、発光部１０５を推定体温が第１の閾値を超えたことを示す発光パターン、例えば赤色により連続して発行させ、発声部１０６から警告音を発生させる。
【００４９】
ステップ７１０において、制御部１０１は、所定時間経過したか判定する。制御部１０１は、所定時間経過したと判定した場合（ステップ７１０のＹ）ステップ７１１に進み、所定時間経過していないと判定した場合（ステップ７１０のＮ）ステップ７０３に戻る。
【００５０】
ステップ７１１において、制御部１０１は節電状態であるスリープ状態に移行する。
【００５１】
ステップ７１２において、制御部１０１は、所定時間経過したか判定する。制御部１０１は、所定時間経過したと判定した場合（ステップ７１２のＹ）ステップ７０２に戻り、所定時間経過していないと判定した場合（ステップ７１２のＮ）ステップ７１２に戻る。
【００５２】
つまり、制御部１０１はスリープ状態と起動状態とを繰り返しながら節電する。
【００５３】
以上述べたように、本実施形態の温度計１は、外気温を検知する気温検知部１０３と、被検体の温度を非接触により検知する温度検知部１０４と、ドアに本体を設置するための取付部１６と、警報を発報する警報部（発光部１０５、発声部１０６）と、被検体がドアノブに腕をかけた時の被検体の額と本体とのあらかじめ設定された距離（補正用距離）及び気温検知部１０３が検知した外気温に基づいて温度検知部１０４が検知した被検体の額の温度を補正して推定体温を求め、推定体温が第１の閾値を超えたと判定した場合警報を発報する制御部と、を備える。
【００５４】
従って、本実施形態によれば、測定に際して感染拡大の懸念がなく、簡易に発熱の有無を確認できるドア設置用温度計を提供することができるという効果がある。
【要約】      （修正有）【課題】測定に際して感染拡大の懸念がなく、簡易に発熱の有無を確認できるドア設置用温度計を提供する。【解決手段】ドア設置用温度計（温度計１）は、外気温を検知する気温検知部、被検体の温度を非接触により検知する温度検知部と、ドアに本体を設置するための取付部１６と、警報を発報する警報部（発光部、発声部）と、被検体がドアノブに腕をかけた時の被検体の額と本体とのあらかじめ設定された距離（補正用距離）及び気温検知部が検知した外気温に基づいて温度検知部が検知した被検体の額の温度を補正して推定体温を求め、推定体温が第１の閾値を超えたと判定した場合警報を発報する制御部と、を備える。【選択図】図１【図１】
0006915920.tif 000002
【図２】
0006915920.tif 000003
【図３】
0006915920.tif 000004
【図４】
0006915920.tif 000005
【図５】
0006915920.tif 000006
【図６】
0006915920.tif 000007
【図７】
0006915920.tif 000008